(57)【要約】【課題】  着用時に効率のよい血流を促し、且つ筋肉の無駄な横揺れを防ぐことにより筋肉疲労を抑制し、且つ運動時における地面・床などに対して摩擦特性の優れた腕やふくらはぎに装着するサポータを提供する。【解決手段】  摩耗特性に優れた天然繊維又は再生繊維を主素材として丸編みハイゲージ編み機を用いて編成され、且つ着用時に身体の必要箇所に段階的着圧が加えられるようにしたことを特徴とする丸編みニット生地サポータ。【選択図】図１
2018016927.tif 000002
【特許請求の範囲】
【請求項１】
摩耗特性に優れた天然繊維又は再生繊維を主素材として丸編みハイゲージ編み機を用いて編成され、且つ着用時に身体の必要箇所に段階的着圧が加えられるようにしたことを特徴とする丸編みニット生地サポータ。
【請求項２】
摩耗特性に優れた天然繊維又は再生繊維を主素材として丸編みハイゲージ編み機を用いて編成され、且つ着用時に身体の必要箇所に段階的着圧が加えられるようにした丸編みニット生地サポータを製造するに際し、天然繊維又は再生繊維を主素材を給糸するハイゲージ丸編み機の給糸口前にアタッチメントを設置し、給糸される天然繊維又は再生繊維を主素材の毛羽を取り除いてハイゲージ丸編み機に挿入することを特徴とする丸編みニット生地サポータの製造方法。
【発明の詳細な説明】
【技術分野】
【０００１】
本発明は、運動時の無駄な筋振動による筋疲労を抑制し、且つ運動時に於ける地面・床などに対して優れた摩擦特性を有する腕やふくらはぎに装着する丸編みニット生地サポータとその製造方法に関するものである。
【背景技術】
【０００２】
例えば、ジャンプを繰り返すバレーボール等のスポーツにおいてはスパイク・ブロック等の運動時のふくらはぎの筋肉の動きは緊張と弛緩を繰り返した状態にあり、この結果筋疲労を引き起こす。
【０００３】
従来筒状の丸編みニット生地サポータが多く知られているが（特開平9−285587号、特開2005−185629）、このニット生地サポータはポリウレタンを含む弾性体を横方向に編み込み、専ら製品どの部分でも均一に伸縮・圧迫することを特徴とし、筋疲労抑制が期待できる段階加圧タイプではないため筋疲労抑制を期待することが実現することができないことが欠点である。
【０００４】
この筋疲労抑制を実現するための構造として段階加圧タイプのサポータが有効とされ、従来段階的強度を調整する細かい編み目を構築する丸編みハイゲージ編み機を用いて、ナイロン・ポリエステル、ポリウレタンなどに代表される化学繊維を主素材とした丸編みニット生地サポータが公開乃至市販されている（特開2012−41661、ＷＯ２０１０／０８２６７７）。
【先行技術文献】
【特許文献】
【０００５】
【特許文献１】特開平9−285587号
【特許文献２】特開2005−185629
【特許文献３】特開2012−41661
【特許文献４】ＷＯ２０１０／０８２６７７
【発明の概要】
【発明が解決しようとする課題】
【０００６】
しかし、このサポータに主素材として使用されるナイロン・ポリエステル、ポリウレタンなどに代表される化学繊維は細く伸縮性があり、このため運動時に地面・床などと接触した場合摩耗し易い等の欠点がある。
【０００７】
一方、セルロースに代表される天然繊維又はレーヨンに代表される再生繊維を主素材については、摩耗性に優れているが、表面に毛羽があり、これをハイゲージ丸編み機に挿入した場合、編み機内の糸切れにより故障の原因になり、且つ１つ１つの編み目が不均等になり伸縮性が安定した丸編みニット生地サポータが得難い等の欠点がある。
【課題を解決するための手段】
【０００８】
そこで、本発明は摩耗特性に優れたセルローズに代表される天然繊維又はレーヨンに代表される再生繊維を主素材として丸編みハイゲージ編み機を用いて編成され、且つ着用時に身体の必要箇所に段階的着圧が加えられるようにしたことを特徴とする丸編みニット生地サポータを提案するものである。
【０００９】
更に、本発明は摩耗特性に優れた天然繊維又は再生繊維を主素材として丸編みハイゲージ編み機を用いて編み成され、且つ着用時に身体の必要箇所に段階的着圧が加えられるようにした丸編みニット生地サポータを製造するに際し、天然又は再生繊維を主素材として給糸するハイゲージ丸編み機の給糸口前にアタッチメントを設置し、給糸される天然繊維又は再生繊維を主素材の毛羽を取り除いてハイゲージ丸編み機に挿入することを特徴とする丸編みニット生地サポータの製造方法を提案するものである。う
【００１０】
天然繊維としてはセルローズ、再生繊維としてはレーヨン等を使用することができる。
【発明の効果】
【００１１】
本発明に係る腕やふくらはぎに装着するサポータは、段階的着圧により編成されているため、効率の良い血流を促すことができ、且つ筋肉の無駄な横揺れを防ぎ、筋肉疲労の抑制を期待できる。
【００１２】
また、摩耗特性に優れた天然繊維又は再生繊維を主素材とするため、運動時における地面・床などと肌の摩擦に対応することができる。
【００１３】
一方、本発明の丸編みニット生地サポータの製造方法においては、ハイゲージ丸編み機の給糸口前にアタッチメントを設置し、給糸される天然繊維又は再生繊維を主素材の毛羽を取り除いて給糸口に挿入するため、糸切れによる故障がなく、且つ１つ１つの編み目が不均等になり伸縮性が安定した丸編みニット生地サポータが得られる。
【図面の簡単な説明】
【００１４】
【図１】本発明に係るふくらはぎに装着される丸編みニット生地サポータの正面図
【図２】本発明に係る丸編みハイゲージ編み機を用いて丸編みニット生地サポータを編成する工程概略図
【図３】同上の丸編みハイゲージ編み機の正面図
【図４】同上のアタッチメントの縦断側面図
【図５】同上の工程で編成された丸編みニット生地サポータの拡大図
【発明を実施するための形態】
【００１５】
摩耗特性に優れた天然繊維又は再生繊維を主素材として丸編みハイゲージ編み機を用いて編成され、且つ着用時に身体の必要箇所に段階的着圧が加えられるようにしたことを特徴とする丸編みニット生地サポータ。
【実施例１】
【００１６】
図１において１は、本発明に係る丸編みハイゲージ編み機を用い、天然繊維又は再生繊維を主素材とし、且つ着用時に身体の必要箇所に段階的着圧が加えられるように編成されたふくらはぎに装着される丸編みニット生地サポータ。
【００１７】
図２は、本発明に係る丸編みハイゲージ編み機を用いて丸編みニット生地サポータを編成する工程概略図、図３は本発明に係る丸編みハイゲージ編み機を示すものであり、図２、３において２はハイゲージ丸編み機、３は丸編み機２の１コースの給糸口、４は２コースの給糸口、５は３コースの給糸口、６は４コースの給糸口で、１コースと３コースの給糸口３と５には天然繊維又は再生繊維７が挿入され、２コースと４コースの給糸口４と６にはナイロン・ポリエステルなどに代表される化学繊維８が挿入され、回転シリンダー９を通過することにより丸編みニット生地サポータ１が作成される。
【００１８】
本発明では１コースと３コースの給糸口３と５の先端部にはアタッチメント１０，１０が設置されており、アタッチメント１０は図４に示されるように内部に通路の上下に毛羽取り部１１が設けられ、したがって、給糸口３、５から送られてくる毛羽のある天然繊維又は再生繊維７はアタッチメント１０，１０を通過することにより、毛羽取り部１１により毛羽が取られ、毛羽の外れた天然繊維又は再生繊維８として回転シリンダー９に送られるので、しかも毛羽のため編み機２の故障を防ぐことができ、且つ図５に示すように、１つ１つの編み目が均等になり伸縮性が安定した丸編みニット生地サポータ１が得られる。
【００１９】
主素材としてレーヨンとした製品（生地No．１）、主素材ナイロンとした製品（生地No．２）について（１）着圧データ数値、（２）摩擦溶融は以下の通りである。
（１）着圧データ数値
製品上部着圧数値                    20hp
製品中央部着圧数値                 29hp
製品下部着圧数値                    40hp
即ち、製品は下部から上部へ着圧が下がるように段階的着圧するように編成されている。
【００２０】
（２）摩擦溶融(rpm)
試験方法    JIS L 1056 C法
生地No．１        ６５０  
生地No．２        １４００以上
【産業上の利用可能性】
【００２１】
以上要するに、本発明によれば着用時に効率のよい血流を促し、且つ筋肉の無駄な横揺れを防ぐことにより筋肉疲労を抑制し、且つ運動時における地面・床などに対して摩擦特性の優れた丸編みニット生地サポータを提供できる。
【符号の説明】
【００２２】
１は本発明に係る丸編みニット生地サポータ
２はハイゲージ丸編み機
３は丸編み機の１コースの給糸口
４は２コースの給糸口
５は３コースの給糸口
６は４コースの給糸口
７は天然繊維又は再生繊維
８はナイロン・ポリエステルなどに代表される化学繊維
９は回転シリンダー
１０はアタッチメント
１１は毛羽取り部
【図１】
2018016927.tif 000003
【図２】
2018016927.tif 000004
【図３】
2018016927.tif 000005
【図４】
2018016927.tif 000006
【図５】
2018016927.tif 000007